(57)【要約】  【課題】  折り返し反射ミラーを撓ませることなく、折り返し反射ミラーの取り付け角度を調整する。  【解決手段】  ＬＳＵ２１に、レーザービームを導く第２折り返し反射ミラー６の一端と他端とを保持する切り欠き面４（４ａ・４ｂ）を備えた保持台１（１ａ・１ｂ）を設ける。そして、第２折り返し反射ミラー６の取り付け角度を調整するために、第２折り返し反射ミラー６を、一端から他端または他端から一端に向かって、保持台１上を移動できるように、第２折り返し反射ミラー６の反射面と接触する保持台１の第１面（保持面）２（２ａ・２ｂ）の少なくとも一方が、第２折り返し反射ミラー６の長手中心部に向かう方向に対して傾斜するようになっている。【選択図】      図１
2005233987.tif 000002
【特許請求の範囲】
【請求項１】
光線を導く反射ミラーの一端と他端とを保持する保持台を有する光線照射ユニットにおいて、
上記反射ミラーの取り付け角度を調整するために、上記反射ミラーを、上記の一端から他端または他端から一端に向かって、上記保持台上を移動できるように、
上記反射ミラーの反射面と接触する上記保持台の保持面の少なくとも一方が、上記反射ミラーの長手中心部に向かう方向に対して傾斜していることを特徴とする光線照射ユニット。
【請求項２】
上記反射ミラーの一端を保持する上記保持台における保持面の法線と、上記反射ミラーの他端を保持する上記保持台の保持面の法線とが交差するように、上記の両保持面が形成されていることを特徴とする請求項１に記載の光線照射ユニット。
【請求項３】
上記保持台によって保持された上記反射ミラーを、その反射ミラーの一端から他端または他端から一端に向かって移動させる移動手段が設けられるとともに、その移動手段には、上記反射ミラーの移動距離を調整する調整部が設けられており、
上記調整部は、上記光線照射ユニットの筐体外部から調整するために、その筐体の外部に位置することを特徴とする請求項１または２に記載の光線照射ユニット。
【請求項４】
請求項１〜３のいずれか１項に記載の光線照射ユニットの光線によって、像担持体に静電潜像を形成させることを特徴とする画像形成装置。
【発明の詳細な説明】
【技術分野】
【０００１】
本発明は、画像データに基づいた光線（例えばレーザービーム）を照射する光線照射ユニット、およびその光線照射ユニットの光線を帯電された感光体に照射することによって静電潜像、ひいては画像を形成する画像形成装置（例えばコピー機、プリンター）に関するものであり、特に、光線を感光体に導く折り返し反射ミラーの取り付け部に関するものである。
【背景技術】
【０００２】
電子写真方式の画像形成装置は、例えばレーザースキャンニングユニット（ＬＳＵ）に備えられた半導体レーザーからのレーザービームを折り返し反射ミラーで反射させることで、一様に帯電させた感光体に照射し、静電潜像を形成させる。そして、現像部がこの静電潜像にトナーを付着させることで可視化させ（トナー像の形成）、その後、トナー像は記録媒体（例えばシート）に転写するようになっている。
【０００３】
そして、このような画像形成装置において、高画質の画像（トナー像）を形成しようとするならば、感光体に照射するレーザービームの照射位置や焦点位置が、高い精度でなくてはならない。そのため、照射位置や焦点位置の精度を左右する折り返し反射ミラーの取り付け角度が重要になってくる。
【０００４】
そこで、ＬＳＵの折り返し反射ミラーの取り付け角度を調整できる画像形成装置が種々提案されている。例えば、特許文献１に示す画像形成装置は、折り返し反射ミラーを設けた弾性部材をＬＳＵの外部から（例えば外部からドライバー等で調整ネジを介して）変形させることで、その折り返し反射ミラーの取り付け角度を調整できるようになっている。
【０００５】
また、図８に示すＬＳＵ１２１は、保持台１０１に折り返し反射ミラー１０６を取り付け、その折り返し反射ミラー１０６の背面（保持台１０１と接触する折り返し反射ミラー面の裏面）を調整機構１０７のついた押圧レバー１０９で押圧し、折り返し反射ミラー１０６を撓ませ、その折り返し反射ミラー１０６の取り付け角度を調整できるようになっている。
【０００６】
特許文献１の画像形成装置は、確かに画像形成装置からＬＳＵを取り外すことなく、折り返し反射ミラーの取り付け角度を調整することができ、メンテナンスを容易に行える非常に有用な画像形成装置であると解される。
【特許文献１】特開２００２−２７７７９７号公報（請求項４、段落〔００３４〕参照）
【発明の開示】
【発明が解決しようとする課題】
【０００７】
しかしながら、図８に示すようなＬＳＵ１２１では、折り返し反射ミラー１０６を撓ませるために、非常に高い押圧力が必要となる。そのため、調整機構（例えば調整ネジ１０７）のついた押圧レバー１０９をより強く折り返し反射ミラー１０６に押しつける必要がある。なぜなら、弱い押圧力では撓みが生じない上、折り返し反射ミラー１０６の一部が振動する事態が生じ得るためである。さらには、折り返し反射ミラー１０６が撓むことで、少なからず、形成された画像に悪影響を及ぼしてしまうこともある。
【０００８】
本発明は、上記の問題点を解決するためになされたものであって、その目的は、折り返し反射ミラーを撓ませることなく、折り返し反射ミラーの取り付け角度を調整できるＬＳＵ（光線照射ユニット）、ひいては画像形成装置を提供することにある。
【課題を解決するための手段】
【０００９】
本発明の光線照射ユニットは、光線を導く反射ミラーの一端と他端とを保持する保持台を有する光線照射ユニットであって、上記反射ミラーの取り付け角度を調整するために、上記反射ミラーを、上記の一端から他端または他端から一端に向かって、上記保持台上を移動できるように、上記反射ミラーの反射面と接触する上記保持台の保持面の少なくとも一方が、上記反射ミラーの長手中心部に向かう方向に対して傾斜していることを特徴している。
【００１０】
また、本発明の光線照射ユニットでは、上記反射ミラーの一端を保持する上記保持台における保持面の法線と、上記反射ミラーの他端を保持する上記保持台の保持面の法線とが交差するように、上記の両保持面が形成されていることが好ましい。
【００１１】
これらによると、上記反射ミラーの一端を保持する上記保持台の保持面と上記反射ミラーの他端を保持する上記保持台の保持面との傾斜が互いに異なるようになる。そして、特に、反射ミラーの長手中心部に向かう方向に対して傾斜している保持面を滑るように移動することで、上記反射ミラーが取り付け角度を変更させながら、スライドできるようになる。したがって、反射ミラーは、湾曲することなく、取り付け角度を変更でき、光線の反射位置を変更させ、所望の位置にその光線を導くことができる。
【００１２】
また、本発明の光線照射ユニットでは、上記保持台によって保持された上記反射ミラーを、その反射ミラーの一端から他端または他端から一端に向かって移動させる移動手段が設けられるとともに、その移動手段には、上記反射ミラーの移動距離を調整する調整部が設けられており、上記調整部は、上記光線照射ユニットの筐体外部から調整するために、その筐体の外部に位置することが好ましい。
【００１３】
これによると、光線照射ユニットの製作者等が、移動手段を用いることで、自由にスライドさせながら、上記反射ミラーの取り付け角度を変更できる。
【００１４】
その上、光線照射ユニットの製作者等が、光線照射ユニットの筐体を分解・開放等することなく、移動距離を調整しながら上記反射ミラーをスライドさせることができる。
【００１５】
本発明の画像形成装置は、上記の光線照射ユニットの光線によって、像担持体に静電潜像を形成させることを特徴としている。
【００１６】
これによると、光線照射ユニットによる光線を所望の位置に変更させて、画像形成装置を製造することができる。
【発明の効果】
【００１７】
本発明によると、例えば反射ミラーを撓ませることなく、反射ミラーの取り付け角度を調整することができる。
【発明を実施するための最良の形態】
【００１８】
本発明のレーザースキャニングユニット（光線照射ユニット）およびそれを備えた画像形成装置（コピー機、プリンター、ＦＡＸ等）の実施の一形態について、図面に基づいて説明すれば、以下の通りである。
【００１９】
図２は、本発明の画像形成装置６９の概略構成図である。なお、以下の説明においては、レーザービームがポリゴンミラー（後述）によって偏向される方向を主走査方向とし、この主走査方向と直交する方向を副走査方向とする。
【００２０】
本発明の画像形成装置６９は、画像読み取り部３１、レーザースキャニングユニット（ＬＳＵ）２１、感光体（像担持体）４１、帯電部４２、現像部４３、トナー貯留部４４、転写部４５、クリーニング部４６、シート収容部５１、搬送部５２、定着部５３、および排紙部５４からを含む構成である。
【００２１】
画像読み取り部３１は、コンタクトガラス３２の下方から原稿の画像面に向けて光を照射するＬＥＤアレイや蛍光管ランプ等の光源３３と、この光源３３からの光を効率良く原稿の画像面に与えるための反射板３４と、原稿の画像面で反射された原稿反射光を直接に受けて反射させる第１ミラー３５と、この第１ミラー３５からの反射光を受けて反射させる第２ミラー３６と、この第２ミラー３６からの反射光を受けて反射させる第３ミラー３７と、この第３ミラー３７からの反射光を導入して集光する集光レンズ群３８と、この集光レンズ群３８で集光された原稿反射光を受光して電気信号（画像データ）に変換する固体撮像部（ＣＣＤ等）３９と、を含む構成である。なお、図２では、原稿反射光をＶと表現する。
【００２２】
ＬＳＵ（光線照射ユニット）２１は、画像読み取り部３１から送られてくる原稿データ（画像データ）に基づいて、光線（例えばレーザービーム）を感光体４１に照射させ、その感光体４１に静電潜像を形成させるものである。具体的には、図３に示すように、ＬＳＵ２１は、半導体レーザー１１、コリメーターレンズ（不図示）、シリンダレンズ（不図示）、ポリゴンミラー（回転多面鏡）１２、ｆ―θレンズ１３、第１折り返し反射ミラー（反射ミラー）５、および第２折り返し反射ミラー（反射ミラー）６等から構成されている。なお、送られてくるデータは、画像読み取り部３１からの原稿データに限らず、例えばパーソナルコンピューター（ＰＣ）から画像データが送られてくる場合もある。
【００２３】
半導体レーザー１１は光源であり、コリメーターレンズ・シリンドリカルレンズは、レーザービームを通すことで、ポリゴンミラー１２の反射面上にそのレーザービームを線状に集光させるものである。ポリゴンミラー１２は、集光されたレーザービームを偏向反射（偏向走査）させるものであり、ｆ―θレンズ１３は、そのレーザービームの倒れを補正し、かつ、レーザービームの等角速度運動を等速運動に変換して感光体４１に集光させるものである。
【００２４】
第１・第２折り返し反射ミラー５・６は板状のミラーであり、レーザービームを所定の位置に導くためのものである。具体的には、ｆ―θレンズ１３を通過したレーザービームを感光体４１に導くときに使用するものである。なお、詳細については後述するが、第１・第２折り返し反射ミラー５・６は保持台１（１ａ・１ｂ）に取り付けられている。また、この図３は、レーザービームの経路を明確にするために、便宜上、半導体レーザー１１、ポリゴンミラー１２、ｆ―θレンズ１３、第１・第２折り返し反射ミラー５・６の位置を重点的に表現している。また、レーザービームをＷと表現している。
【００２５】
感光体４１は、例えばアルミドラムに感光層が積層されたものであり、帯電部４２により、表面が帯電されるようになっている。そして、感光体４１は、ＬＳＵ２１からのレーザービームＷを受けた表面に帯電を減衰させた静電潜像を形成する。なお、上記の感光層は、特に限定するものではないが、例えば耐久性に優れるアモルファスシリコン（ａ―Ｓｉ）等が好ましい。
【００２６】
帯電部（帯電チャージャー）４２は、放電（例えばコロナ放電）することで感光体４１の表面を帯電させるものである。例えば帯電部４２は、細いワイヤー等を有しており、これを電極として、高電圧を印加されることで放電するようになっている。
【００２７】
現像部４３は、感光体４１の静電潜像にトナーを付着させて、トナー像を形成させるものである（トナーで顕像化させるものである）。この現像部４３内部は、摩擦帯電するトナー、およびこのトナーを搬送するキャリア等を収容しており、このキャリアによって、静電潜像の近傍までトナーは移動するようになっている。具体的には、トナーは、感光体４１と現像部４３との間に形成された現像電界における電位差によって移動（感光体４１に付着）するようになっている。
【００２８】
トナー貯留部（ホッパー）４４は、現像部４３にトナーを供給するものである。
【００２９】
転写部（転写ローラー）４５は、感光体４１表面に形成したトナー像を乱さずに搬送部５２を搬送してくるシートに移行させるものである。そして、トナー像がシートと重なるときに、この転写部４５にはトナーの帯電極性と逆極性の電圧が印加され、その電圧と感光体４１を対向電極にして作られる電界とにより、トナー像をシートに転写させるようになっている。
【００３０】
クリーニング部４６は、トナー像がシートに移行（転写）された後に感光体４１表面に残ったトナー（残留トナー）を除去するものである。例えば、感光体４１の長手方向に線接触するブレード材等が挙げられる。
【００３１】
シート収容部５１は、最終的に画像（トナー像）の印刷されるシート（用紙やＯＨＰ等）を収容するとともに、搬送部５２にシートを送り出すものである。
【００３２】
搬送部５２は、シート収容部５１から排紙部５４までのシートの通路のことであり、定着部５３は、シートに転写されたトナー像を安定な永久像とするものであり、例えば熱や圧力等のエネルギーを付与することにより、粉体状態のトナー像を溶融させるものである。
【００３３】
排紙部５４は、定着部５３を経たシート、すなわち永久像が印刷されたシートを収容するものである。
【００３４】
そして、本発明の画像形成装置６９では、画像読み取り部３１からの画像データに基づいて、ＬＳＵ２１が、感光体４１にレーザービーム（光線）Ｗを発することで、その画像データに基づく静電潜像をその感光体４１表面に形成させる。その後、現像部４３が、静電潜像にトナーを付着させるとともに（トナー像を形成させるとともに）、転写部４５が、シートにそのトナー像を転写させる。次に、定着部５３が、そのトナー像の転写されたシートに熱等を加え、永久像とさせるようになっている。
【００３５】
次に、本発明のＬＳＵ２１の最も特徴的な構成について説明する。
【００３６】
本発明のＬＳＵ２１では、第２折り返し反射ミラー６は、図１・図３に示すような切り欠き面（保持面）４（４ａ・４ｂ）を有する保持台１（１ａ・１ｂ）に取り付けられるようになっている。なお、図１は図３の保持台１ａの拡大図であり、便宜上、第２折り返し反射ミラー６を省略し、保持台１ａのみを表現している。
【００３７】
切り欠き面４は、第１面２（２ａ・２ｂ）と第２面３（３ａ・３ｂ）とから構成されており、これらの両面から構成される溝によって、第２折り返し反射ミラー６を支えるようになっている（保持するようになっている）。
【００３８】
第２折り返し反射ミラー６の具体的な取り付けとしては、板状の第２折り返し反射ミラー６の少なくとも２箇所（例えば第２折り返し反射ミラー６の両端（一端と他端））の近傍の反射面６ａ（６）を、図４に示すように、保持台１ａの切り欠き面４の第１面（保持面（接触面））２ａに接触させながら載置させる。さらに、その第２折り返し反射ミラー６は、第２折り返し反射ミラー６の両端に設けられているホルダ１６を板バネ１７によって押さえつけることで取り付けられている。つまり、保持台１ａの切り欠き面４ａの第１面２ａと板バネ１７とによって、第２折り返し反射ミラー６・ホルダ１６を挟持するようになっている。
【００３９】
また、図４に示すように、ＬＳＵ２１のハウジング８の外側から内側に向かって（保持台１ａに保持された第２折り返し反射ミラー６の一端から、保持台１ｂに保持された第２折り返し反射ミラー６の他端に向かって）、または内側から外側に向かって（保持台１ｂに保持された第２折り返し反射ミラー６の他端から、保持台１ａに保持された第２折り返し反射ミラー６一端に向かって）、第２折り返し反射ミラー６を移動（スライド）させる調整ネジ（移動手段）７が設けられている。なお、この調整ネジ７は、ハウジング８の外側と内側とを連通する開口８ａ（８）に挿入されるようになっているが、その開孔８ａ（８）と調整ネジ７のネジ頭（調整部）７ａ（７）とが密接しており、隙間が生じ得ないようになっている。また、ネジ軸と開口８ａ（８）とが密接するようにしてもよい。そして、第２折り返し反射ミラー６の取り付け角度の調整が完了すれば、この調整ネジ７を接着剤等にて、ハウジング８に固定することもできる。
【００４０】
次に、図５に示すように、一方の保持台１ａの第１面２ａは、他方の保持台１ｂの第１面２ｂと異なる傾斜を有している。具体的には、一方の第１面２ａの法線Ｐが、他方の第１面２ｂの法線Ｑと交差するようになっている。また、図６に示すように、互いの第１面２ａ・２ｂが、第２折り返し反射ミラー６の中心方向に向かって傾斜していてもよい。なお、この図５・図６は、便宜上、第２折り返し反射ミラー６を省略するとともに、保持台１ａ・１ｂ同士の距離を近づけて表現している。
【００４１】
このように、一方の第１面２ａの法線Ｐが、他方の第１面２ｂの法線Ｑと交差するように、保持台１（１ａ・１ｂ）の第１面２（２ａ・２ｂ）が形成されると、保持台１にて固定されている第２折り返し反射ミラー６が、第１面（保持面）２ａの傾斜を利用しながらスライドできるようになり、その結果、レーザービームＷの反射位置を変更できる。すなわち、所望の位置にレーザービームＷを導くことができる。
【００４２】
ここで、図７を用いて、第２折り返し反射ミラー６がスライドする状態を説明する。この図７は、図５の矢視Ａ−Ａ’からの側面図であり、第１面２（２ａ・２ｂ）・第２折り返し反射ミラー６が重点的に表現されている。そして、特に、第１面２（２ａ・２ｂ）が第２折り返し反射ミラー６を保持している状態と、レーザービームＷが第２折り返し反射ミラー６によって反射されている状態とを表現している。
【００４３】
なお、この図７では、便宜上、第２折り返し反射ミラー６が、第１面２（２ａ・２ｂ）に対して、線接触しているように表現しているが、本発明のＬＳＵ２１では、ほぼ第２折り返し反射ミラー６が、ほぼ第１面２（２ａ・２ｂ）と面接触していると判断しても構わない。また、第１面２ａの傾斜を利用しながら第２折り返し反射ミラー６がスライドしている状態を明確にすべく、第１面２ａと接触する第２折り返し反射ミラー６の位置、レーザービームＷ（Ｗ1・Ｗ2）を反射する第２折り返し反射ミラー６の位置、および第１面２ｂと接触する第２折り返し反射ミラー６の位置は、便宜上、互いに関連性を有しないものとする。
【００４４】
図７（ａ）は、最初に第２折り返し反射ミラー６を保持台１（１ａ・１ｂ）に取り付けたときのレーザービームＷを表現している。そして、このレーザービームＷの状態で画像を形成した場合、トナー像がシートの所望の位置に定着しなかったとすると、図７（ｂ）または図７（ｃ）に示すように、画像形成装置６９の製作者等は、第２折り返し反射ミラー６を保持台１（１ａ・１ｂ）の第１面２（２ａ・２ｂ）上でスライドさせる。
【００４５】
図７（ｂ）は、移動部７によって、Ｘ方向に第２折り返し反射ミラー６をスライドさせたときのレーザービームＷ1の状態を表している。この図に示すように、第１面２ａに接触する第２折り返し反射ミラー６の端部はα1方向に移動していく一方、第１面２ｂに接触する第２折り返し反射ミラー６の端部はα2方向に移動するようになる。その結果、第２折り返し反射ミラー６の取り付け角度が変化し、最初のレーザービームＷからレーザービームＷ1のように変化するようになる。
【００４６】
一方、図７（ｃ）は、移動部７によって、Ｙ方向に第２折り返し反射ミラー６をスライドさせたときのレーザービームＷ2の状態を表している。この図に示すように、第１面２ａに接触する第２折り返し反射ミラー６の端部はβ1方向に移動していく一方、第１面２ｂに接触する第２折り返し反射ミラー６の端部はβ2方向に移動するようになる。その結果、第２折り返し反射ミラー６の取り付け角度が変化し、最初レーザービームＷからレーザービームＷ2のように変化するようになる。
【００４７】
以上のように、本発明のＬＳＵ２１は、レーザービームを導く第２折り返し反射ミラー６の一端と他端と（例えば両端）を保持する切り欠き面４（４ａ・４ｂ）を備えた保持台１（１ａ・１ｂ）を設けている。そして、第２折り返し反射ミラー６の取り付け角度を調整するために、第２折り返し反射ミラー６を、一端から他端または他端から一端に向かって、保持台１上を移動できるように、第２折り返し反射ミラー６の反射面と接触する保持台１の第１面（保持面）２（２ａ・２ｂ）の少なくとも一方が、第２折り返し反射ミラー６の長手中心部に向かう方向に対して傾斜するようになっている。
【００４８】
具体的には、第２折り返し反射ミラー６の一端を保持する切り欠き面４ａの第１面２ａの法線Ｐに対して、第２折り返し反射ミラー６の他端を保持する切り欠き面４ｂの第１面２ｂの法線Ｑが交差するように、第１面２（２ａ・２ｂ）が形成されている。
【００４９】
そのため、第２折り返し反射ミラー６の一端を保持する保持台１ａの保持面２ａと第２折り返し反射ミラー６の他端を保持する保持台１ｂの保持面２ｂとの傾斜が、互いに異なるようになる。そして、特に、第２折り返し反射ミラー６の長手中心部に向かう方向に対して傾斜している保持面２ａを滑るように移動することで、第２折り返し反射ミラー６が取り付け角度を変更させながら、スライドできるようになる。したがって、第２折り返し反射ミラー６は、湾曲することなく、取り付け角度を変更でき、レーザービームＷの反射位置を変更させ、所望の位置にレーザービームＷを導くことができる。
【００５０】
また、本発明のＬＳＵは、保持台１ａ・１ｂの切り欠き面４（４ａ・４ｂ）によって保持された第２折り返し反射ミラー６を、その第２折り返し反射ミラー６の一端から他端に向かって、または他端から一端に向かって移動させる調整ネジ７を設けている。
【００５１】
そのため、ＬＳＵ２１、ひいては画像形成装置６９の製作者等が、調整ネジ７を用いて、自由にスライドさせて、第２折り返し反射ミラー６の取り付け角度を変更できる。
【００５２】
その上、調整ネジ７に、第２折り返し反射ミラー６の移動距離を調整するネジ頭７ａ（７）が設けられており、そのネジ頭７ａは、ＬＳＵ２１のハウジング８の外部に位置するようになっている。すなわち、ネジ頭７ａは、ハウジング８の外部から第２折り返し反射ミラー６の移動距離を調整できるような位置に配置されるようになっている。
【００５３】
そのため、製作者等は、ＬＳＵ２１のハウジング８を分解・開放することなく、第２折り返し反射ミラー６をスライドさせることができる。
【００５４】
また、本発明のＬＳＵ２１からのレーザービームによって、感光体４１に静電潜像を形成させることができる本発明の画像形成装置６９は、ＬＳＵ２１よるレーザービームを所望の位置に変更させることができる。
【００５５】
なお、本発明は上記の実施の形態に限定されず、本発明の趣旨を逸脱しない範囲で、種々の変更が可能である。例えば、上述の説明では、第２折り返し反射ミラー６を用いて説明したが、ＬＳＵ２１のレーザービームを所望の位置に導くために、第１折り返し反射ミラー５を、異なる傾斜を有する保持台に取り付けてもよいし、第１・第２折り返し反射ミラー５・６を異なる傾斜を有する保持台に取り付けてもよい。
【産業上の利用可能性】
【００５６】
光線を導くために反射ミラーを用いるＬＳＵ、およびそれを用いた画像形成装置に有用である。
【図面の簡単な説明】
【００５７】
【図１】本発明のＬＳＵが有する保持台の斜視図である。
【図２】本発明の画像形成装置の概略構成図である。
【図３】本発明のＬＳＵの概略斜視図である。
【図４】第２折り返し反射ミラーを取り付けた保持台の斜視図である。
【図５】保持台の第１面の傾斜を示す説明図である。
【図６】図５の他の一例を示す説明図である。
【図７】（ａ）初期の第２折り返し反射ミラーの取り付け位置を示す説明図であり、（ｂ）はＸ方向に第２折り返し反射ミラーをスライドさせている状態を示す説明図であり、（ｃ）はＹ方向に第２折り返し反射ミラーをスライドさせている状態を示す説明図である。
【図８】従来のＬＳＵの概略構成図である。
【符号の説明】
【００５８】
１    保持台
２    第１面（保持面）
３    第２面
４    切り欠き面（保持面）
５    第１折り返し反射ミラー（反射ミラー）
６    第２折り返し反射ミラー（反射ミラー）
７    調整ネジ（移動手段）
７ａ  ネジ頭（調整部）
８    ハウジング（筐体）
２１    ＬＳＵ（光線照射ユニット）
４１    感光体（像担持体）
６９    画像形成装置
Ｐ    第２折り返し反射ミラーの一端を保持する保持面の法線
Ｑ    第２折り返し反射ミラーの他端を保持する保持面の法線
【図１】
2005233987.tif 000003
【図２】
2005233987.tif 000004
【図３】
2005233987.tif 000005
【図４】
2005233987.tif 000006
【図５】
2005233987.tif 000007
【図６】
2005233987.tif 000008
【図７】
2005233987.tif 000009
【図８】
2005233987.tif 000010